(57)【要約】【課題】カラー画像、特に動画の１カットを光書込表示媒体に良好に書き込むことができる画像書込装置及び画像書込方法を提供する。【解決手段】指示部６から書込指示がなされると、その時点の入力ビデオ信号の１カットが静止画として静止画画像メモリ１に記憶される。その静止画は、色分離部１１で色成分毎の画像に分離され、画像加工部１２で光書込表示媒体への書込用のカラー書込用画像に変換されて、複数のカラー書込用画像が色書込画像メモリ１３に記憶される。その後、色書込画像メモリ１３からカラー書込用画像が読み出されてＶＲＡＭ３に書き込まれ、表示部４に表示される。それとともに、電圧印加部７から光書込表示媒体８に書込電圧が印加され、表示部４による表示光によって光書込表示媒体８に画像が書き込まれる。この処理を各カラー書込用画像毎に繰り返し、カラー画像を光書込表示媒体８に書き込む。【選択図】　図１
2004021024.tif 000002
【特許請求の範囲】
【請求項１】
光書込表示媒体に画像を書き込むための画像書込装置において、前記光書込表示媒体に書き込むカラー画像を記憶する画像メモリと、前記画像メモリに記憶されているカラー画像を前記光書込表示媒体に書き込むための画像に変換する画像変換手段と、前記画像変換手段により変換された画像を表示する表示手段と、前記光書込表示媒体に対して書込電圧を印加する電圧印加手段と、少なくとも前記表示手段における前記変換された画像の表示と前記電圧印加手段による書込電圧の印加のタイミングを制御する制御手段を有し、前記表示手段が画像を表示した際の表示光により前記光書込表示媒体に画像を書き込むことを特徴とする画像書込装置。
【請求項２】
前記画像メモリには、入力された動画の１カットが前記カラー画像として記憶されることを特徴とする請求項１に記載の画像書込装置。
【請求項３】
さらに、前記画像変換手段により変換された画像をビデオ信号に変換するビデオ信号変換手段と、前記動画と前記ビデオ信号変換手段の出力のいずれかを選択する選択手段を有し、前記表示手段は、前記選択手段で動画が選択されている場合に動画の表示を行うことを特徴とする請求項２に記載の画像書込装置。
【請求項４】
前記画像変換手段は、前記画像メモリに記憶されているカラー画像を１ないし複数色成分毎の画像に分離して複数のカラー書込用画像を生成する画像加工手段と、前記カラー書込用画像を記憶する色書込画像メモリを有し、前記制御手段は、前記色書込画像メモリから前記カラー書込用画像を選択的に読み出して出力させることを特徴とする請求項１ないし請求項３のいずれか１項に記載の画像書込装置。
【請求項５】
前記制御手段は、前記色書込画像メモリに対して読み出す前記カラー書込用画像を制御するとともに前記電圧印加手段による書込電圧の印加のタイミングを制御し、前記カラー書込用画像毎に前記表示手段に順次表示させて前記光書込表示媒体に対して画像を順次書き込むように制御することを特徴とする請求項４に記載の画像書込装置。
【請求項６】
光書込表示媒体に画像を書き込むための画像書込方法において、前記光書込表示媒体に書き込むカラー画像を画像メモリに記憶しておき、前記画像メモリに記憶されているカラー画像を前記光書込表示媒体に書き込むための画像に変換し、変換された画像を表示手段により表示するとともに、前記光書込表示媒体に対して書込電圧を印加して、前記表示手段が画像を表示した際の表示光により前記光書込表示媒体に画像を書き込むことを特徴とする画像書込方法。
【請求項７】
前記カラー画像として、入力された動画の１カットを前記画像メモリに記憶することを特徴とする請求項６に記載の画像書込方法。
【請求項８】
さらに、前記変換された画像をビデオ信号に変換し、前記動画と前記ビデオ信号出力のいずれかを選択的に前記表示手段に表示することを特徴とする請求項７に記載の画像書込方法。
【請求項９】
前記カラー画像を前記光書込表示媒体に書き込むための画像に変換する処理として、前記カラー画像を１ないし複数色成分毎の画像に分離して複数のカラー書込用画像を生成し色書込画像メモリに記憶させておき、前記色書込画像メモリからカラー書込用画像を選択的に読み出して出力させる処理を行うことを特徴とする請求項６ないし請求項８のいずれか１項に記載の画像書込方法。
【請求項１０】
さらに、前記色書込画像メモリに対して読み出す前記カラー書込用画像を制御し、前記カラー書込用画像毎に前記表示手段に順次表示させるとともに前記光書込表示媒体に対してそれぞれのカラー書込用画像に対応した書込電圧を印加し、前記光書込表示媒体に対してカラー書込用画像を順次書き込むことを特徴とする請求項９に記載の画像書込方法。
【発明の詳細な説明】
【０００１】
【発明の属する技術分野】
本発明は、光書込表示媒体に画像を書き込むための画像書込装置に関するものである。
【０００２】
【従来の技術】
例えばパーソナルコンピュータなどから情報を取り出す際に、その情報をいつでもどこでも参照できるようにするためには、一般的には情報を紙にプリント出力しており、その紙にプリントされた情報を参照している。しかし、紙の場合には通常は一旦プリントしてしまうとそのままでは再利用できない。
【０００３】
このような紙の代替となり得る媒体として、電子ペーパーなどと呼ばれる表示媒体が開発されている。このような表示媒体は、紙のように薄く、また一旦画像を書き込むと無電源で表示を維持し、いつでもどこでも書き込まれた内容を参照することができる。さらに、画像の再書込が可能であるため、再利用が可能であるという特徴を有している。特に光書込型の表示媒体は、例えばＣＲＴや液晶表示装置等といった表示装置の表示光を利用して画像を書き込むことができ、例えば表示画面に表示されている画像を瞬時に転写して画面のハードコピーを簡単に得ることができる。
【０００４】
しかし、カラー画像を光書込表示媒体に書き込む場合、光書込表示媒体の特性上、それぞれの色成分毎に書込を行わなければならない。そのため、表示装置にカラー表示されている画像をそのままカラー画像として光書込表示媒体に書き込むことができないという問題があった。また、動画を光書込表示媒体に書き込む場合、瞬時とは言っても１画面分の書込を行うために多少の時間を要するため、動画の場合にはその間に画像が動いてしまい、光書込表示媒体に書き込まれた画像がぼやけてしまうという問題がある。また、このような１画面分の書込を複数回行わなければならないため、その間に画像が進んでしまい、それぞれの色成分の画像がずれてしまうという問題があった。
【０００５】
【発明が解決しようとする課題】
本発明は、上述した事情に鑑みてなされたもので、カラー画像、特に動画を光書込表示媒体に良好に書き込むことができる画像書込装置及び画像書込方法を提供することを目的とするものである。
【０００６】
【課題を解決するための手段】
本発明は、光書込表示媒体に画像を書き込むための画像書込装置及び画像書込方法において、光書込表示媒体に書き込むカラー画像、例えば入力された動画の１カットなどのカラー画像を画像メモリに記憶しておき、そのカラー画像を光書込表示媒体に書き込むための画像に変換し、変換された画像を表示手段により表示するとともに光書込表示媒体に対して書込電圧を印加して、表示手段が画像を表示した際の表示光により光書込表示媒体に画像を書き込むことを特徴とするものである。このように一旦画像メモリに記憶しておいてから光書込表示媒体に書き込むための画像に変換して書込を行うので、例えば動画であっても光書込表示媒体への書込を行っている時間、あるいは複数回の書込を行っている間に、動画が動いてボケたりブレたりするといった問題が発生せず、良好な画像を光書込表示媒体に書き込むことができる。
【０００７】
このようにカラー画像を光書込表示媒体に書き込む際には、カラー画像を１ないし複数色成分毎の画像に分離して複数のカラー書込用画像を生成し、色書込画像メモリに記憶させておき、色書込画像メモリからカラー書込用画像を順次読み出して表示手段に表示させるとともに、光書込表示媒体に対してそれぞれのカラー書込用画像毎に書込電圧を印加し、光書込表示媒体に対して画像を順次書き込むことができる。このようにしてカラー画像を１ないし複数色成分毎に光書込表示媒体に順次書き込むことができ、光書込表示媒体へのカラー画像の書込を行うことができる。
【０００８】
また、光書込表示媒体に書き込むための画像と、入力された動画とを切替可能に構成することができる。これによって、通常は表示手段によって動画を参照していて、光書込表示媒体に画像を書き込む際には、その表示手段をそのまま画像書き込み用の表示手段として利用することができる。例えば通常はテレビジョン方法を視聴していて、画面の保存が必要になった時点で指示を行えば、その時点での画面の画像を光書込表示媒体に書き込むことができる。
【０００９】
【発明の実施の形態】
図１は、本発明の第１の実施の形態を示すブロック図である。図中、１は静止画画像メモリ、２は画像変換部、３はＶＲＡＭ、４は表示部、５は制御部、６は指示部、７は電圧印加部、８は光書込表示媒体、１１は色分離部、１２は画像加工部、１３は色書込画像メモリである。この例では、入力としてテレビチューナーやパーソナルコンピュータなどから出力されているカラーのビデオ信号が入力されるものとする。
【００１０】
静止画画像メモリ１は、制御部５の指示に従い、入力されているビデオ信号から指示された時点での１カットのカラー画像を記憶する。ビデオ信号として動画が入力されている場合でも、１カットのカラー画像は静止画として扱うことができる。記憶した１カットのカラー画像が光書込表示媒体に書き込む画像となる。
【００１１】
画像変換部２は、静止画画像メモリ１に記憶されているカラー画像を、光書込表示媒体８に書き込むための画像に変換する。画像変換部２は、色分離部１１、画像加工部１２、色書込画像メモリ１３などを含んで構成することができる。色分離部１１は、静止画画像メモリ１に記憶されているカラー画像を、光書込表示媒体に書き込む際の１ないし複数色成分毎の画像に分離する。画像加工部１２は、色分離部１１で分離されたそれぞれの色成分毎の画像を、光書込表示媒体８に書き込む画像として最適な形式のカラー書込用画像に変換する。カラー書込用画像は、それぞれの色成分毎の画像でもよいし、あるいは複数の色成分の画像を、濃度を変えて合成した画像であってもよく、書込時の方式に応じた形式を採用することができる。なお、この画像加工部１２において、各種の画像処理を施すこともできる。色調整などの処理が必要な場合は、色分離部１１によって分離する前に行うとよい。色書込画像メモリ１３は、色成分毎に分離され、画像加工部１２で処理されたカラー書込用画像を記憶する。記憶したカラー書込用画像は、制御部５の指示に従って順次読み出される。
【００１２】
ＶＲＡＭ３は、表示部４に表示する画像が書き込まれる。特に光書込表示媒体８への画像の書込の際には、制御部５の制御に従って色書込画像メモリ１３に記憶されているカラー書込用画像が順次読み出され、このＶＲＡＭ３に書き込まれる。
【００１３】
表示部４は、ＶＲＡＭ３に書き込まれた画像を表示する。表示部４は、例えばＣＲＴやバックライト付きの液晶表示装置、プラズマディスプレイなど、様々な公知の表示装置を用いることができる。
【００１４】
制御部５は、各部を制御して光書込表示媒体８への一連の画像書込処理を行う。詳細は後述するが、例えば指示部６からの指示を受けて静止画画像メモリ１に動画の１カットを記憶させ、画像変換部２に光書込表示媒体８へ書き込むためのカラー書込用画像に変換させ、各カラー書込用画像毎に画像変換部２の色書込画像メモリ１３から読み出してＶＲＡＭ３に書き込む。さらにＶＲＡＭ３に書き込まれたカラー書込用画像が表示部４に表示されるのに同期して、電圧印加部７に光書込表示媒体８へ電圧を印加させ、表示されている画像を書き込ませるといった処理を行う。
【００１５】
指示部６は、例えばユーザなどが行った光書込表示媒体８に対する画像の書込の指示を受け付ける。
【００１６】
電圧印加部７は、光書込表示媒体８に対して書込電圧を印加する。この書込電圧は、制御部５によってセットされる。光書込表示媒体８は、表示するそれぞれの色成分毎に異なる電界しきい値を有しており、書き込む画像の色成分によって所定の電圧がセットされ、この電圧印加部７から光書込表示媒体８にセットされた電圧が印加される。なお、電圧を調整することによって複数の色成分について一括して書き込むことも可能であり、そのような書込方式を採用する場合についても制御部５によってセットされた書込電圧を電圧印加部７において光書込表示媒体８へ印加することになる。
【００１７】
光書込表示媒体８は、カラー表示が可能な光書込方式の表示媒体である。図２は、光書込表示媒体の一例を示す断面模式図である。図中、２１，２２はベース基板、２３，２４は透明電極層、２５〜２７は液晶層、２８は感光体層である。図２に示す光書込表示媒体８は、ベース基板２１，２２間に、透明電極層２３，２４に挟まれて３層の液晶層２５〜２７及び感光体層２８が積層されて構成されている。３層の液晶層２５〜２７は、例えばコレステリック液晶などで構成され、それぞれが異なる光透過反射特性を有している。例えば光を反射する相状態のときに、赤（Ｒ）、緑（Ｇ）、青（Ｂ）あるいはシアン（Ｃ）、マゼンタ（Ｍ）、イエロー（Ｙ）の波長の光を選択反射するように構成しておくことによって、カラー表示が可能となる。
【００１８】
また、各液晶層２５〜２７は、それぞれが異なる電界しきい値において相変化を起こすように構成されており、電界の強さによって光を透過する相状態あるいは所定の波長の光を反射する相状態のいずれかを取る。液晶層２５〜２７のうちのいずれの液晶層に書込を行うかは、透明電極層２３，２４に与える電圧によって制御することができる。また、選択された液晶層において相変化を起こすか否かは感光体層２８における起電力によって決定する。すなわち、透明電極層２３，２４に与えられた電圧では光を透過する相状態であるとし、画像に対応する光が感光体層２８に照射され、感光体層２８に起電力が発生した位置においては光を反射する相状態に変化させることができる。これによって、所定の色成分の画像を、液晶層２５〜２７のいずれかに書き込むことができる。さらに透明電極層２３，２４に与える電圧を変更して同様の書込を行うことによって、他の液晶層にも画像を書き込むことができる。このようにして３層の液晶層２５〜２７に画像を書き込むことによって、カラー画像を光書込表示媒体に書き込むことができる。なお、各液晶層毎ではなく、書込電圧及び入射される光量を調整することによって、複数の液晶層に対して一括して書込を行うこともできる。いずれの場合も、画像の書込後は、透明電極層２３，２４に電圧を与えなくても各液晶層２５〜２７の相状態は維持されるので、書き込まれた画像は無電源で表示され続けることになる。
【００１９】
上述のように画像を書き込む際には、画像に対応する光を感光体層２８に照射することになる。本発明では、表示部４の表示面に光書込表示媒体８がセットされ、表示部４が画像を表示した際の表示光を光書込表示媒体に照射する。これによって光書込表示媒体８に画像を書き込んでいる。
【００２０】
図３は、本発明の第１の実施の形態における動作の一例を示すフローチャートである。ユーザは、予め画像を書き込むための光書込表示媒体８をセットしておく。そしてユーザは、別途設けられているテレビジョンやＰＣモニタなどにおいて、本発明の入力となるビデオ信号の画像を参照し、光書込表示媒体に画像を書き込みたいタイミングにおいて指示部６から画像の書込指示を行う。Ｓ３１において指示部６から画像の書込指示を受けると、制御部５は静止画画像メモリ１に指示し、Ｓ３２において、入力されているビデオ信号からその時点での１カットを切り出し、静止画として記憶させる。
【００２１】
その後、Ｓ３３において、静止画画像メモリ１に記憶されているカラー画像を、画像変換部２の色分離部１１で分離し、画像加工部１２でそれぞれの色成分毎の光書込表示媒体８への書き込み用の画像に変換し、Ｓ３４において色書込画像メモリ１３に記憶させる。ここでは３枚の画像に分離してカラー書込用画像を生成し、色書込画像メモリ１３に記憶させるものとする。例えば赤（Ｒ）、緑（Ｇ）、青（Ｂ）の各色成分毎に分離されたカラー書込用画像とすることができる。
【００２２】
そして、色書込画像メモリ１３に記憶した色成分毎のカラー書込用画像を順次表示部４に表示させて光書込表示媒体８に書き込んでゆく。まずＳ３５において、１回目に光書込表示媒体８に書き込むカラー書込用画像を色書込画像メモリ１３から読み出してＶＲＡＭ３に格納する。これによって表示部４には、１回目に光書込表示媒体８に書き込む画像が表示される。そしてＳ３６において、制御部５は電圧印加部７に対して１回目の出力電圧発生命令を送り、光書込表示媒体に対して印加する電圧のセットを行う。その後、Ｓ３７において制御部５は同期信号を電圧印加部７に送り、電圧印加部７はＳ３６でセットされた書込電圧を光書込表示媒体８に印加する。これによって、光書込表示媒体８において、ある液晶層に対応したバイアスの電界が発生するとともに、表示部４から発せられている表示光を光書込表示媒体８中の感光体層が受光して電位が変化し、液晶層に表示光に応じた相変化が発生して、表示されている画像が液晶層に書き込まれる。
【００２３】
同様にしてＳ３８において、２回目に光書込表示媒体８に書き込むカラー書込用画像を色書込画像メモリ１３から読み出してＶＲＡＭ３に格納し、表示部４にしておく。そしてＳ３９において、制御部５は電圧印加部７に対して２回目の出力電圧発生命令を送って印加電圧のセットを行った後、Ｓ４０において同期信号を電圧印加部７に送り、電圧印加部７はＳ３９でセットされた書込電圧を光書込表示媒体８に印加する。これによって、光書込表示媒体８に対して２回目の画像の書き込みを行う。３回目も同様であり、Ｓ４１において、３回目に光書込表示媒体８に書き込むカラー書込用画像を色書込画像メモリ１３から読み出してＶＲＡＭ３に格納し、表示部４にしておく。そして制御部５は電圧印加部７に対してＳ４２において３回目の出力電圧発生命令を送って印加電圧のセットを行った後、Ｓ４３において同期信号を送る。電圧印加部７はＳ３９でセットされた書込電圧を光書込表示媒体８に印加し、光書込表示媒体８に対して３回目の画像の書き込みを行う。
【００２４】
このようにして、動画の１カットが光書込表示媒体８に書き込まれる。このとき、一旦、静止画画像メモリ１に取り込んでから色成分毎のカラー書込用画像を順に書き込んでいるので、ボケやブレなどが発生せず、良好な画像を光書込表示媒体８に書き込むことができる。
【００２５】
図４は、本発明の第２の実施の形態を示すブロック図である。図中、図１と同様の部分には同じ符号を付して説明を省略する。９はビデオ信号変換部、１０は出力セレクタである。この第２の実施の形態では、通常は表示部４を入力されているビデオ信号の閲覧に利用し、その表示部４をそのまま光書込表示媒体８への画像の書込にも利用する構成を示している。
【００２６】
ビデオ信号変換部９は、画像変換部２によって光書込表示媒体８への書込用に変換された画像をビデオ信号に変換する。特にこの構成では、画像変換部２内の色書込画像メモリ１３に光書込表示媒体８へ書き込むための複数のカラー書込用画像が格納されているので、この中から制御部５によって指示されたカラー書込用画像を読み出し、あるいは制御部５によって色書込画像メモリ１３から読み出された画像を受け取り、ビデオ信号に変換して出力する。
【００２７】
出力セレクタ１０には、ビデオ信号変換部９から出力されたビデオ信号とともに、本装置の入力ビデオ信号も入力されている。そして、制御部５からの指示に従っていずれかを選択して表示部４に出力する。出力セレクタ１０が入力ビデオ信号を選択している場合、表示部４には入力ビデオ信号に基づく画像が表示される。例えば入力ビデオ信号がテレビチューナーからの出力であればテレビジョン放送を見ることができるし、パーソナルコンピュータからの出力であれば出力部４をディスプレイとして利用することができる。また、光書込表示媒体８に画像を書き込む際には、制御部５の制御に従い、出力セレクタ１０はビデオ信号変換部９の出力を選択する。これによって光書込表示媒体８に書き込むための画像を表示部４に表示させることができる。
【００２８】
図５は、本発明の第２の実施の形態における動作の一例を示すフローチャートである。通常の状態では、出力セレクタ１０は入力ビデオ信号を選択しており、入力ビデオ信号が表示部４に供給されている。これによってユーザは、表示部４を利用してテレビジョン放送を参照したり、パーソナルコンピュータのモニタとして表示部４を利用することができる。表示部４に映し出される画像を参照しているうちに、表示されている画面を保存したいという要求が発生した時点で、ユーザは指示部６から画像の光書込表示媒体８への書き込みを指示する。Ｓ５１において指示部６から画像の書込指示を受けると、制御部５は静止画画像メモリ１に指示し、Ｓ５２において、入力されているビデオ信号からその時点での１カットを切り出し、静止画として記憶させる。
【００２９】
なお、通常の表示部４の参照では、光書込表示媒体８が画像の参照になることも考えられる。その場合には、通常の状態では光書込表示媒体８を取り外しておき、この時点で光書込表示媒体８をユーザがセットするように構成してもよい。この場合、指示部６から書込指示がなされた時点で光書込表示媒体８が表示部４にセットされているか否かを判定し、セットされていない場合には、光書込表示媒体８のセットをユーザに促すメッセージを表示部４へのビデオ信号に合成して出力し、ユーザに対して注意を喚起するように構成するとよい。
【００３０】
その後、上述の図３のＳ３３，Ｓ３４と同様に画像変換部２における処理をＳ５３，Ｓ５４において行う。すなわち、Ｓ５３において、静止画画像メモリ１に記憶されているカラー画像を、画像変換部２の色分離部１１で分離し、画像加工部１２で光書込表示媒体８へ書き込むための複数のカラー書込用画像に変換し、Ｓ５４において色書込画像メモリ１３に記憶させる。
【００３１】
そして、色書込画像メモリ１３に記憶したカラー書込用画像を順次表示部４に表示させて光書込表示媒体８に書き込んでゆく。この処理も図３のＳ３５〜Ｓ４３とほぼ同様であるが、色書込画像メモリ１３から読み出したカラー書込用画像をビデオ信号変換部９で変換する処理と、出力セレクタ１０の切替処理が追加される。
【００３２】
Ｓ５５において、１回目に光書込表示媒体８に書き込むカラー書込用画像を色書込画像メモリ１３から読み出し、ビデオ信号変換部９によってビデオ信号に変換して出力する。そしてＳ５６において、出力セレクタ１０をビデオ信号変換部９の出力に切り替える。これによって表示部４の表示は、入力ビデオ信号の画像から、１回目に光書込表示媒体８に書き込むカラー書込用画像に変わる。またＳ５７において、制御部５は電圧印加部７に対して１回目の出力電圧発生命令を送り、光書込表示媒体に対して印加する電圧のセットを行う。なお、Ｓ５６とＳ５７の処理はいずれが先でもよい。その後、Ｓ５８において制御部５は同期信号を電圧印加部７に送り、電圧印加部７はＳ５７でセットされた書込電圧を光書込表示媒体８に印加する。これによって、光書込表示媒体８に対する１回目の画像の書き込みが行われる。
【００３３】
同様にして、Ｓ５９〜Ｓ６１において２回目の光書込表示媒体８へのカラー書込用画像の書き込みが、またＳ６２〜６４において３回目の光書込表示媒体８へのカラー書込用画像の書き込みが行われる。この２回目、３回目の光書込表示媒体８へのカラー書込用画像の書き込みの処理は、図３におけるＳ３８〜Ｓ４３の処理と同様である。
【００３４】
このようにして、動画の１カットが光書込表示媒体８に書き込まれる。このとき、一旦、静止画画像メモリ１に取り込んでからカラー書込用画像を順に書き込んでいるので、ボケやブレなどが発生せず、良好な画像を光書込表示媒体８に書き込むことができる。
【００３５】
このようにして光書込表示媒体８への書き込みが終了した後、Ｓ６５において、出力セレクタ１０を入力ビデオ信号が選択されるように切り替え、表示部４に再び入力ビデオ信号による画像が表示され、通常のテレビジョン放送やパーソナルコンピュータからの出力を参照できるようになる。このように、通常は表示部４により入力ビデオ信号の画像を閲覧し、光書込表示媒体８への画像の書き込みの際にも同じ表示部４を利用して行うことができる。
【００３６】
なお、上述の第１及び第２の実施の形態における動作例では、光書込表示媒体８を３層構成として、各色成分毎に３回の書き込みを行う場合を例にして説明した。しかし、本発明はこれに限らず、例えば光書込表示媒体８の層構造が異なるものであれば、その層構造に応じた回数の書き込みを行うように構成することができる。また、各色成分毎に書き込むほか、複数色成分について一括して書き込むことも可能である。例えば、光書込表示媒体８に設けられる各液晶層が相変化を起こす電界強度を調整しておき、電圧印加部７から与える電圧を調整することによって、与える光量による起電力によって生じる電界強度に応じて複数層への書き込みを可能とすることができる。すなわち、表示部４に表示する画像の濃淡（階調）によって複数層への書き込みが可能である。このような光書込表示媒体を用いる場合には、カラー書込用画像として一括して書き込む色成分の画像を異なる濃度によって合成したものを用い、電圧印加部７に対する書込電圧を調整すればよい。このような光書込表示媒体を用いることによって、書込の回数を減じることが可能である。
【００３７】
また、本発明の入力は、ビデオ信号に限らず、例えば静止画画像メモリ１に直接静止画を書き込んで、その静止画を光書込表示媒体に書き込むように構成することができる。
【００３８】
さらに、上述の本発明の第１及び第２の実施の形態において制御部５や色分離部１１，画像加工部１２などの処理は、コンピュータにおけるＣＰＵ及びプログラムなどによって構成することができる。またこの場合、静止画画像メモリ１や色書込画像メモリ１３などは、そのコンピュータに備えられているメモリを利用して構成することができる。
【００３９】
【発明の効果】
以上の説明から明らかなように、本発明によれば、光書込表示媒体に対してボケやブレなどが発生しない良好なカラー画像を書き込むことができる。また、入力が動画であっても、その１カットを静止画として光書込表示媒体に写し取ることが可能となるという効果がある。
【図面の簡単な説明】
【図１】本発明の第１の実施の形態を示すブロック図である。
【図２】光書込表示媒体の一例を示す断面模式図である。
【図３】本発明の第１の実施の形態における動作の一例を示すフローチャートである。
【図４】本発明の第２の実施の形態を示すブロック図である。
【図５】本発明の第２の実施の形態における動作の一例を示すフローチャートである。
【符号の説明】
１…静止画画像メモリ、２…画像変換部、３…ＶＲＡＭ、４…表示部、５…制御部、６…指示部、７…電圧印加部、８…光書込表示媒体、９…ビデオ信号変換部、１０…出力セレクタ、１１…色分離部、１２…画像加工部、１３…色書込画像メモリ、２１，２２…ベース基板、２３，２４…透明電極層、２５〜２７…液晶層、２８…感光体層。
【図１】
2004021024.tif 000003
【図２】
2004021024.tif 000004
【図３】
2004021024.tif 000005
【図４】
2004021024.tif 000006
【図５】
2004021024.tif 000007